(57)【要約】【課題】より強度が向上し、ナットからコレットを簡単に取外すことが可能なコレット取外し具を提供する。【解決手段】コレット１００を把持可能な把持部１２が形成されたコレット取外し具本体１０を有し、把持部１２は、コレット取外し具本体１０の先端に形成されてなり、コレット１００の最大外径部における外径より小さい内径と、コレット１００がナット２００に装着されている際に、コレット１００の最大外径部に対応する位置におけるナット２００の内径より小さい外径と、を備えてなる。【選択図】        図２
2004276179.tif 000002
【特許請求の範囲】
【請求項１】
ナットに係止されたコレットを、当該ナットから取外すコレット取外し具であって、
前記コレットを把持可能な把持部が形成されたコレット取外し具本体を有し、
前記把持部は、前記コレット取外し具本体の先端に形成されてなり、前記コレットの最大外径部における外径より小さい内径と、前記コレットが前記ナットに装着されている際に、該コレットの最大外径部に対応する位置における当該ナットの内径より小さい外径と、を備えてなるコレット取外し具。
【請求項２】
前記コレット取外し具本体は、内部に、前記コレットを当該コレット取外し具本体の先端に向けて押圧可能な押圧部材を備えてなる請求項１記載のコレット取外し具。
【請求項３】
前記コレット取外し具本体は、中空形状を備えると共に、外周を使用者が把握可能であり、前記押圧部材は、当該コレット取外し具本体の中空部分に進退可能に挿入されてなる請求項２記載のコレット取外し具。
【請求項４】
前記押圧部材は、前記把持部の内周面と、前記コレットの外周面との間に挿入可能なテーパ部を備えてなる請求項２または請求項３記載のコレット取外し具。
【請求項５】
前記押圧部材を、前記コレット取外し具本体の基端側に付勢する付勢手段をさらに備えた請求項２ないし請求項４のいずれか一項に記載のコレット取外し具。
【請求項６】
前記付勢手段は、コイルバネである請求項５記載のコレット取外し具。
【請求項７】
前記押圧部材の、前記コレット取外し具本体の先端側への移動を規制する第１の規制手段をさらに備えた請求項２ないし請求項６のいずれか一項に記載のコレット取外し具。
【請求項８】
前記第１の規制手段は、前記押圧部材の、前記コレット取外し具本体から延出している基端側の外径が、前記コレット取外し具本体の中空部分の基端側内径よりも大きくなるよう外側に向けて突出形成した第１の突起からなる請求項７記載のコレット取外し具。
【請求項９】
前記押圧部材の、前記コレット取外し具本体の基端側への移動を規制する第２の規制手段をさらに備えた請求項２ないし請求項６のいずれか一項に記載のコレット取外し具。
【請求項１０】
前記第２の規制手段は、前記コレット取外し具本体の中空部分の基端側内径が、前記押圧部材の、前記中空部分に挿入されている部分の外径よりも小さくなるよう内側に向けて突出形成した第２の突起からなる請求項９記載のコレット取外し具。
【請求項１１】
前記押圧部材が、前記コレット取外し具本体の基端側から最大限延出した際の、前記第１の規制手段と、当該コレット取外し具本体の基端との距離は、前記押圧部材の、前記コレットを押圧するために移動可能な距離よりも長い請求項７ないし請求項１０のいずれか一項に記載のコレット取外し具。
【発明の詳細な説明】
【０００１】
【発明が属する技術分野】
本発明は、ナットに係止されたコレットを、当該ナットから取外す際に使用されるコレット取外し具に関する。
【０００２】
【従来の技術】
従来から、工具ホルダに工具を把持させる際は、例えば、ナットに装着され、工具ホルダ本体に装着したコレットの工具挿入孔に工具を挿入し、当該ナットで工具ホルダ本体を締め付けることで前記コレットを縮径させ、工具を工具ホルダに把持させている。このようにして工具を保持している工具ホルダでは、コレットの先端側（工具挿入口側）の外周面に沿って形成された係止用溝に、ナットのノーズリング内周面に形成された係止突起が係合した状態で、コレットはナットに係止されている。
【０００３】
この構成を備えた工具ホルダは、前記工具把持状態からナットを緩めて工具ホルダ本体から工具を取外した後も、前記コレットの係止用溝に、前記ナットの係止突起が係合した状態にある。したがって、このナットからコレットを取外す際は、例えば、ナットの長さよりもコレットの長さの方が長い場合は、通常、コレットを直接指で押して、前記係止用溝と係止突起との係合を解除させ、ナットからコレットを取外している。
【０００４】
しかしながら、ナットの長さよりもコレットの長さの方が短い場合は、コレットを直接指で押すことができず、前記係止用溝と係止突起との係合を解除させることが困難である。そこで、この場合は、先端が細く形成されたコレット取外し具を、ナットの内周面と、コレットの外周面との間に挿入し、このコレット取外し具によってコレットを押して、前記係止用溝と係止突起との係合を解除させ、ナットからコレットを取外している。（例えば、非特許文献１参照）。
【０００５】
【非特許文献１】
総合カタログＶｏｌ．３、ツーリング編、第３４頁、「コレット抜き取り冶具／コレットドライバー」、大昭和精機株式会社
【発明が解決しようとする課題】
前述した従来のコレット取外し具は、先端が細く形成されていることに加え、ナットからコレットを傷つけることなく取外すため、樹脂製となっている。したがって、強度の点で改良の余地があった。
【０００６】
本発明は、このような従来のコレット取外し具を改良することで、コレット取外し具の先端にかかる負荷を分散させ、より強度が向上しすると共に、ナットからコレットを簡単に取外すことが可能なコレット取外し具を提供することを目的とする。
【０００７】
【課題を解決するための手段】
この目的を達成するため、本発明は、ナットに係止されたコレットを、当該ナットから取外すコレット取外し具であって、前記コレットを把持可能な把持部が形成されたコレット取外し具本体を有し、前記把持部は、前記コレット取外し具本体の先端に形成されてなり、前記コレットの最大外径部における外径より小さい内径と、前記コレットが前記ナットに装着されている際に、該コレットの最大外径部に対応する位置における当該ナットの内径より小さい外径と、を備えてなるコレット取外し具を提供するものである。
【０００８】
この構成を備えたコレット取外し具は、ナットの内周面とコレットの外周面との間に、コレット取外し具本体の先端に形成された把持部を挿入し、この把持部をさらに先端側に押し込むことで、コレットをその軸心（内側）に向けて押圧することができ、この押圧力によってコレットを縮径させることができる。したがって、コレットが縮径した分、このコレットとナットとの間に隙間を形成することができ、この隙間を利用して、コレットをナットから簡単に取外すことができる。また、前記把持部によってコレットを包囲した状態で把持することができるため、コレット取外し具にかかる負荷を分散させることができ、この結果としてコレット取外し具の強度を向上することができる。
【０００９】
前記コレット取外し具本体は、内部に、前記コレットを当該コレット取外し具本体の先端に向けて押圧可能な押圧部材を備えることができる。
【００１０】
この構成を備えたコレット取外し具は、前記利点に加え、ナットからコレットを取外した後に、前記押圧部材によってコレットを、コレット取外し具本体の先端側に向けて押圧することで、コレット取外し具本体からより簡単に取外すことができる。
【００１１】
また、前記コレット取外し具本体は、中空形状を備えると共に、外周を使用者が把握可能であり、前記押圧部材は、当該コレット取外し具本体の中空部分に進退可能に挿入された構成とすることができる。
【００１２】
そしてまた、前記押圧部材は、前記把持部の内周面と、前記コレットの外周面との間に挿入可能なテーパ部を備えてなることができる。
【００１３】
この構成により、ナットからコレットを取外す際は、前記テーパ部が、前記把持部の内周面と、前記コレットの外周面との間に深く入り込んで、当該コレットを軸心に向けて押圧し、より効率よく縮径させることができる。したがって、前記利点に加え、さらに簡単にコレットをナットから簡単に取外すことができる。また、コレット取外し具本体からコレットを取外す際も、前記テーパ部が、前記把持部の内周面と、前記コレットの外周面との間に深く入り込んで、コレットをより効率よく縮径させるため、コレット取外し具本体からコレットをさらに簡単に取外すことができる。
【００１４】
また、本発明にかかるコレット取外し具は、前記押圧部材を、前記コレット取外し具本体の基端側に付勢する付勢手段をさらに備えることができる。この付勢手段としては、例えば、コイルバネ等が挙げられる。
【００１５】
このような付勢手段を設けることで、前記利点に加え、ナットからコレットを取外した後、コレット取外し具本体からコレットを取外すために、押圧部材をコレット取外し具本体の先端側に向けて押圧し、これによってコレット取外し具本体の先端側に移動した押圧部材を、付勢手段によって元の位置まで簡単に戻すことができる。
【００１６】
また、本発明にかかるコレット取外し具は、前記押圧部材の、前記コレット取外し具本体の先端側への移動を規制する第１の規制手段をさらに備えることができる。
【００１７】
このように第１の規制手段を設けることで、押圧部材をコレット取外し具本体の先端側に向けて押圧して移動させる際に、押圧部材全体がコレット取外し具本体の中空部分に挿入してしまうことを防止することができる。
【００１８】
この第１の規制手段としては、例えば、前記押圧部材の、前記コレット取外し具本体から延出している基端側の外径が、前記コレット取外し具本体の中空部分の基端側内径よりも大きくなるよう外側に向けて突出形成した第１の突起が挙げられる。
【００１９】
そしてまた、本発明にかかるコレット取外し具は、前記押圧部材の、前記コレット取外し具本体の基端側への移動を規制する第２の規制手段をさらに備えることができる。
【００２０】
このように第２の規制手段を設けることで、コレット取外し具本体の先端側に移動した押圧部材を、コレット取外し具本体の基端側に戻す際に、押圧部材全体がコレット取外し具本体から抜け落ちることを防止することができる。
【００２１】
この第２の規制手段としては、例えば、前記コレット取外し具本体の中空部分の基端側内径が、前記押圧部材の、前記中空部分に挿入されている部分の外径よりも小さくなるよう内側に向けて突出形成した第２の突起が挙げられる。
【００２２】
そしてまた、本発明にかかるコレット取外し具は、前記押圧部材が、前記コレット取外し具本体の基端側から最大限延出した際の、前記第１の規制手段と、当該コレット取外し具本体の基端との距離が、前記押圧部材の、前記コレットを押圧するために移動可能な距離よりも長くなるよう構成することができる。
【００２３】
このように構成することで、押圧部材をコレット取外し具本体の先端側に向けて押圧して移動させ、コレットを押圧する際に、第１の規制手段がこの移動を妨げることがない。したがって、押圧部材によってコレットを確実に押圧することができる。
【００２４】
【発明の実施の形態】
次に、本発明の好適な実施の形態にかかるコレット取外し具について、図面を参照して説明する。なお、以下に記載される実施の形態は、本発明を説明するための例示であり、本発明をこれらの実施形態にのみ限定するものではない。したがって、本発明は、その要旨を逸脱しない限り、様々な形態で実施することができる。
【００２５】
図１は、本実施の形態にかかるコレット取外し具の断面図、図２は、ナットに係止されているコレットを、図１に示すコレット取外し具で把持した状態を示す断面図、図３は、図２の一部を拡大して示す断面図、図４は、図３の状態からコレット取外し具を傾けて、ナットからコレットを取外す状態を示す図３に準じた断面図、図５は、図１に示すコレット取外し具によって、ナットからコレットを取外した状態を示す図３に準じた断面図、図６は、図１に示すコレット取外し具からコレットを取外す状態を示す図３に準じた断面図である。
【００２６】
なお、本実施の形態では、コレット取外し具のコレットを把持する側を「先端側」、その反対側を「基端側」として説明する。
【００２７】
図１〜図６に示すように、本実施の形態にかかるコレット取外し具１は、中空の略円筒形状を備えたコレット取外し具本体１０と、コレット取外し具本体１０の中空部１１内に進退可能に挿入される押圧部材２０と、を備えて構成されている。
【００２８】
コレット取外し具本体１０は、その先端に形成されてコレットを把持する把持部１２と、この把持部１２に連続して形成され、使用者が把握可能な握り部１３を備えている。
【００２９】
把持部１２は、握り部１３の外径よりも小さく構成された略円筒形状を有しており、その厚さ（肉厚）は、握り部１３より薄く構成されている。この把持部１２の内径ｉｄ（図１参照）は、後に詳述するコレット１００の最大外径部における外径より小さく形成されている。また、把持部１２の外径ｏｄ（図１参照）は、コレット１００がナット２００に装着されている際に、コレット１００の最大外径部に対応するナット２００の内径より小さく形成されている。
【００３０】
握り部１３の略中央部から先端の内径は、把持部１２の内径ｉｄと同じ寸法で形成されており、当該略中央部から基端の内径は、先端側の内径より大きく形成されている。握り部１３の内径の大きさが切り替わる部分には、段部１４が形成され、この段部１４は、後に詳述する付勢手段としてのコイルバネ３０の一端を固定する固定壁の役割を果たしている。
【００３１】
また、握り部１３の基端側には、内側に向かって突出した規制手段としてのフランジ１５が形成されている。このフランジ１５は、後に詳述する押圧部材２０が、コレット取外し本体１０の基端側に移動することを規制するために設けられており、押圧部材２０が、コレット取外し本体１０から抜け落ちることを防止する役割を果たしている。
【００３２】
押圧部材２０は、基端側がコレット取外し本体１０の基端から延出する状態でコレット取外し本体１０の中空部１１内に進退可能に挿入されるよう形成されている。押圧部材２０の先端部は、先端に行くにしたがって厚さ（肉厚）が薄くなるよう開口されており、この開口部を画定する側壁によって、テーパ部２１が形成されている。このテーパ部２１は、ナット２００から取外されるコレット１００の外周面に形成されたテーパ形状に相補した形状となっている。
【００３３】
また、押圧部材２０の外径は、握り部１３の略中央部から先端の内径（すなわち、把持部１２の内径ｉｄ）とほぼ同一であるが、基端側の一部の外径は、握り部１３の略中央部から基端の外径とほぼ同一に形成されている。この外径の大きさが切り替わる部分のうち、先端側に形成される段部２２は、後に詳述するコイルバネ３０の他端を固定する固定壁の役割を果たしている。そして、コレット取外し具本体１０に形成された段部１４と、押圧部材２０に形成された段部２２との間に形成された空間に、コイルバネ３０が伸縮可能に配設されている。
【００３４】
一方、押圧部材２０の基端側に形成される段部２３は、フランジ１５に当接可能となっており、押圧部材２０がこれ以上、コレット取外し具本体１０の基端側に移動することが規制される。また、押圧部材２０の基端部２４は、コレット取外し本体１０の中空部１１の基端側内径より大きな外径となるよう外側に突出形成されている。この基端部２４は、押圧部材２０をコレット取外し具本体１０の先端側に向けて押圧して移動させる際に、コレット取外し具本体１０の基端面に当接し、押圧部材２０がこれ以上、コレット取外し具本体１０の先端側に位相することを規制する。これによって、押圧部材２０全体がコレット取外し具本体１０の中空部１１内に挿入されてしてしまうことを防止している。
【００３５】
この押圧部材２０は、初期状態では、コイルバネ３０の付勢力によって、コレット取外し具本体１０の基端側に位置している。また、押圧部材２０は、初期状態では、コレット取外し具本体１０の基端側から最大限延出した状態となっており、この基端部２４と、コレット取外し具本体１０の基端との距離は、押圧部材２０がコレット１００を押圧するために移動可能な距離よりも長く構成されている。したがって、押圧部材２０をコレット取外し具本体１０の先端側に向けて押圧して移動させ、コレット１００を押圧する際に、基端部２４がこの移動を妨げることがない。このため、押圧部材２０によってコレット１００を確実に押圧することができる。
【００３６】
この構成を備えたコレット取外し具１を使用してナットから取外されるコレット１００は、テーパコレットであり、コレット１００の先端側から軸方向に向けて、すり割り１０１が形成されている。また、隣接したすり割り１０１同士の間には、基端側から軸方向に向けて、すり割り１０２が形成されている。このすり割り１０１及び１０２が形成されたコレット１００は、弾性変形を伴った径の拡縮により、工具のシャンクを解放したり把持したりすることができる。コレット１００の外周面の先端側には、先端に行くに従って徐々に外径が小さくなるよう傾斜したテーパ部１０３が形成されており、このテーパ部１０３の基端側には、後に詳述するナット２００のノーズリング２０２に形成された係止突起２０３が係合する係止用溝１０４が形成されている。このコレット１００は、基端側から係止用溝１０４まで徐々に外径が大きくなり、係止用溝１０４との境界位置が最大外径部となっている。
【００３７】
ナット２００は、中空の略円筒形状を備えたナット本体２０１と、ナット本体２０１の先端部に複数のボール２０５を介して設けられたノーズリング２０２を備えて構成されている。ナット本体２０１の内周面のほぼ中央部分には、図示しない工具ホルダ本体の外周面に形成されたネジ部に螺合するネジ部２０４が形成されている。ノーズリング２０２の内周面の先端側には、コレット１００のテーパ部１０３と相補した形状となるように、先端側に行くにしたがって内径が小さくなるよう形成されたテーパ部２０６が形成されている。そしてまた、このテーパ部２０６の基端側には、コレット１００の係止用溝１０４に遊嵌して係合される係止突起２０３が形成されている。
【００３８】
次に、本実施の形態にかかるコレット取外し具１の具体的動作について説明する。
【００３９】
ナット２００に係止されたコレット１００を、ナット２００から取外す際は、先ず、コレット取外し具１の握り部１３を把握し、把持部１２の先端を、ナット２００の内周面と、コレット１００の外周面との間に挿入する。次に、この状態からコレット取外し具１をさらに先端側に押し込む。ここで、把持部１２の内径ｉｄ（図１参照）は、コレット１００の最大外径部における外径より小さく形成されているため、コレット取外し具１は、コレット１００を縮径させながら、コレット１００の最大外径部に至る。この動作により、コレット１００は、把持部１２によって外周面が把持される。この時、押圧部材２０は、図２及び図３に示すように、コイルバネ３０の付勢力によって、コレット取外し具本体１０の基端側に位置しているため、コレット１００は、把持部１２のみによって把持されている。
【００４０】
次に、この状態から、さらに確実にコレット１００を把持したい場合は、コイルバネ３０の付勢力に抗して、押圧部材２０をさらに先端側に押し込むと、図４に示すように、押圧部材２０のテーパ部２１が、把持部１２の内周面とコレット１００の外周面との間に深く挿入される。この時、前述したように、押圧部材２０の基端部２４と、コレット取外し具本体１０の基端面との距離は、押圧部材２０が押し込まれる（移動する）距離よりも長く構成されているため、押圧部材２０がこの移動を干渉することがない。また、押圧部材２０全体が、コレット取外し具本体１０の中空部１１に挿入されることもない。この押圧部材２０の先端側への移動によって、把持部材１２は、テーパ部２１を介して、コレット１００の外周面を押圧してコレット１００をさらに縮径させ、このコレット１００は、テーパ部２１を介して把持部１２にさらに確実に把持される。
【００４１】
このようにコレット１００が把持部１２に把持されて縮径された状態で、コレット取外し具１を、例えば、図４に示す矢印Ｘ方向に傾けると、コレット１００の係止用溝１０４と、ノーズリング２０２の係合突起２０３との係合が解除されて、コレット１００は、図５に示すように、コレット取外し具１に把持された状態で、ナット２００から簡単に取外される。この時、把持部１２は、テーパ部２１を介して、コレット１００の外周面を把持部１２の内周面によって把持するため、把持部１２にかかる負荷を分散させることができ、この結果としてコレット取外し具１の強度を向上することができる。
【００４２】
次に、ナット２００から取外されたコレット１００を、コレット取外し具１から取外す際は、押圧部材２０を、コイルスプリング３０の付勢力に抗して、さらに先端側に押し込めば、図６に示すように、コレット１００は、コレット取外し具１の先端から押し出されるので、コレット１００をコレット取外し具１から簡単に取外すことができる。コレット１００がコレット取外し具１から取外されると、押圧部材２０は、コイルバネ３０の付勢力により、コレット取外し具１の基端側に移動させられ、元の位置（初期位置）に戻る。この時、仮に、押圧部材２０が、コイルスプリング３０の付勢力により基端側にある程度勢いよく戻されたとしても、コレット取外し具１の基端側に形成されたフランジ１５に、押圧部材２０の段部２３が当接するため、押圧部材２０が、コレット取外し本体１０から抜け落ちることはない。
【００４３】
なお、本実施の形態では、押圧部材２０の先端にテーパ部２１を形成した場合ついて説明したが、これに限らず、押圧部材２０は、図７に示すように、テーパ部２１を設けなくてもよい。すなわち、押圧部２０の先端面は、平面状態となっていてもよい。
【００４４】
この構成を備えたコレット取外し具２の場合、ナット２００に係止されたコレット１００を、ナット２００から取外す際は、ナット２００の内周面と、コレット１００の外周面との間に挿入した把持部１２によって、コレット１００が把持される。その後、前述した実施の形態と同様に、コレット取外し具２を傾けることで、コレット１００の係止用溝１０４と、ノーズリング２０２の係合突起２０３との係合が解除され、コレット１００は、コレット取外し具２に把持された状態で、ナット２００から簡単に取外される。
【００４５】
また、この図７に示す構成を備えたコレット取外し具２からコレット１００を取外す際は、図８に示すように、押圧部材２０をコレット取外し具２の先端側に移動させて、押圧部材２０の先端面でコレット１００の基端面を、先端側に向けて押圧することにより、コレット取外し具２の先端側からコレット１００を簡単に取外すことができる。
【００４６】
さらにまた、本発明にかかるコレット取外し具の他の実施形態としては、図９に示すように、押圧部材２０を用いずに、コレット取外し具本体１０単独から構成されたコレット取外し具３であってもよい。この場合、ナット２００からコレットを取外す方法は、図７に示すコレット取外し具２と同様であるが、コレット取外し具３からコレット１００を取外す際は、例えば、コレット取外し具３の先端側から突出しているコレット部分を、つかんで引っ張り出す等、任意の方法によって取外すことができる。
【００４７】
【発明の効果】
以上説明したように、本発明にかかるコレット取外し具は、ナットの内周面とコレットの外周面との間にコレット取外し具本体の先端に形成された把持部を挿入し、この把持部をさらに先端側に押し込むことで、コレットは、軸心（内側）に向けて押圧されるため、この押圧力によってコレットを縮径させることができる。したがって、コレットをナットから簡単に取外すことができる。また、前記把持部によってコレットを包囲して把持することができるため、コレット取外し具にかかる負荷を分散させることができ、この結果、コレット取外し具の強度を向上することができる。
【図面の簡単な説明】
【図１】本発明の本実施の形態にかかるコレット取外し具の断面図である。
【図２】ナットに係止されているコレットを、図１に示すコレット取外し具で把持した状態を示す断面図である。
【図３】図２の一部を拡大して示す断面図である。
【図４】図３の状態からコレット取外し具を傾けて、ナットからコレットを取外す状態を示す図３に準じた断面図である。
【図５】図１に示すコレット取外し具によって、ナットからコレットを取外した状態を示す図３に準じた断面図である。
【図６】図１に示すコレット取外し具からコレットを取外す状態を示す図３に準じた断面図である。
【図７】本発明の他の実施の形態にかかるコレット取外し具の一部を拡大して示す断面図である。
【図８】本発明の他の実施の形態にかかるコレット取外し具からコレットを取外す状態の一部を拡大して示す断面図である。
【図９】本発明の他の実施の形態にかかるコレット取外し具の一部を拡大して示す断面図である。
【符号の説明】
１    コレット取外し具
１０    コレット取外し具本体
１２    把持部
１３    握り部
１５    フランジ
２０    押圧部材
２１    テーパ部
２４    基端部
３０    コイルバネ
１００    コレット
１０４    係止用溝
２００    ナット
２０３    係止突起
【図１】
2004276179.tif 000003
【図２】
2004276179.tif 000004
【図３】
2004276179.tif 000005
【図４】
2004276179.tif 000006
【図５】
2004276179.tif 000007
【図６】
2004276179.tif 000008
【図７】
2004276179.tif 000009
【図８】
2004276179.tif 000010
【図９】
2004276179.tif 000011